(57)【要約】【課題】水陸両用で、高い操作性および機能性を維持できるキー操作入力回路および携帯端末装置を提供する。【解決手段】携帯電話端末装置１００は、制御部１１、圧力検出部１２、切替回路１３、地上用キー３１、地上用キー回路３２、水中用キー４１および水中用キー回路４２を備える。制御部１１は、スイッチボタンの圧力を検出した値が所定の値のときに、地上用キー回路３２と水中用キー回路４２を切り替える。地上用キー回路３２は、地上用キー３１が押下された場合に信号を生成する。水中用キー回路４２は、水中用キー４１が押下された場合に信号を生成する。切替回路１３は、地上用キー回路３２と水中用キー回路４２のいずれか一方を選択して信号入力回路に接続する。地上用キー回路３２と水中用キー回路４２は、互いに他の一部を含まない。【選択図】図１
2012182687.tif 000002
【特許請求の範囲】
【請求項１】
地上用キーが押下された場合に信号を生成する地上用キー回路と、
水中用キーが押下された場合に信号を生成する水中用キー回路と、
前記地上用キー回路と前記水中用キー回路のいずれか一方を選択して信号入力回路に接続するキー選択回路と、
を備え、
前記地上用キー回路と前記水中用キー回路は、互いに他の一部を含まないことを特徴とするキー操作入力回路。
【請求項２】
外部圧力を検出する回路と、
外部圧力が所定の値以下の場合に、前記キー選択回路で前記地上用キー回路を前記信号入力回路に接続し、外部圧力が前記所定の値を超える場合に、前記キー選択回路で前記水中用キー回路を前記信号入力回路に接続する制御回路と、
を備えることを特徴とする請求項１に記載のキー操作入力回路。
【請求項３】
大気圧中で操作可能な必要押下力を有する地上用キーと、
前記地上用キーの必要押下力より大きい必要押下力を有する水中用キーと、
前記地上用キーが押下された場合に信号を生成する地上用キー回路と、
前記水中用キーが押下された場合に信号を生成する水中用キー回路と、
前記地上用キー回路と前記水中用キー回路のいずれか一方を選択して信号入力回路に接続するキー選択回路と、
を備え、
前記地上用キー回路と前記水中用キー回路は、互いに他の一部を含まないことを特徴とする携帯端末装置。
【請求項４】
外部圧力を検出する回路と、
外部圧力が所定の値以下の場合に、前記キー選択回路で前記地上用キー回路を前記信号入力回路に接続し、外部圧力が前記所定の値を超える場合に、前記キー選択回路で前記水中用キー回路を前記信号入力回路に接続する制御回路と、
を備えることを特徴とする請求項３に記載の携帯端末装置。
【請求項５】
前記地上用キーと前記水中用キーは、互いに他の押下方向に重ねて配置されることを特徴とする請求項３または４に記載の携帯端末装置。
【発明の詳細な説明】
【技術分野】
【０００１】
本発明は、キー操作入力回路および携帯端末装置に関する。特に、水陸両用のキー操作入力回路およびそのキー操作入力回路を備える携帯端末装置に関する。
【背景技術】
【０００２】
携帯電話が普及するにつれ、より高機能なモデルが求められている。例えば、防水機能を有することを特徴とするモデルがある。
【０００３】
防水機能を備える携帯電話は、携帯電話内部への水の侵入を防止するとともに、大気中で高い操作性が得られ、かつ、水中でも操作可能なスイッチを備えることが好ましい。例えば、特許文献１では、防水操作部材（釦）に備えた弾性部材にリブを設け、大気中と水中での必要な力を略均等とし、かつ、止水を可能としている。
【０００４】
また、特許文献３に記載の携帯電子機器は、水圧の計測値が所定値を超えた場合に、所定の動作の制御を抑制することが記載されている。このとき、水中で機能させるキースイッチの押圧検出圧力を他のキースイッチより高く設定することが記載されている。
【０００５】
特許文献２に記載のキー検出装置は、多重押下による誤検出を防止するための方法として、キーマトリクスの構成を高さ方向に重ねて並列接続とし、キー検出に使用可能な入出力ポートに対してキー検出を行うことが記載されている。
【先行技術文献】
【特許文献】
【０００６】
【特許文献１】特開２００９−０１６０６９号公報
【特許文献２】特開２００９−２４５０２６号公報
【特許文献３】特開２０１０−０１１２４０号公報
【発明の概要】
【発明が解決しようとする課題】
【０００７】
特許文献１および３では、キーを操作するのに必要な押圧力を高めており、大気中での押下操作性は劣るという問題がある。また、特許文献３では、水中で操作できるキーを制限しており、水中で行える機能が限定されるので、汎用性に欠けるおそれがある。なお、特許文献２は、携帯電話の小型化・省スペース化により、隣接するキーを押下した場合に他のキーまで押下されることになるような誤操作を防ぐものであって、水中で操作できるようにする構造ではない。
【０００８】
携帯端末装置は、大気中での操作性を維持しながら、水中での操作性を備え、例えば、水中でも専用ケース無しでキー操作ができることが好ましい。また、装置の小型化に貢献するためにも、できるだけ回路が単純であることが好ましい。
【０００９】
本発明は、上述のような事情に鑑みてなされたもので、水陸両用で、高い操作性および機能性を維持できるキー操作入力回路および携帯端末装置を提供することを目的とする。
【課題を解決するための手段】
【００１０】
本発明の第１の観点に係るキー操作入力回路は、
地上用キーが押下された場合に信号を生成する地上用キー回路と、
水中用キーが押下された場合に信号を生成する水中用キー回路と、
前記地上用キー回路と前記水中用キー回路のいずれか一方を選択して信号入力回路に接続するキー選択回路と、
を備え、
前記地上用キー回路と前記水中用キー回路は、互いに他の一部を含まないことを特徴とする。
【００１１】
本発明の第２の観点に係る携帯端末装置は、
大気圧中で操作可能な必要押下力を有する地上用キーと、
前記地上用キーの必要押下力より大きい必要押下力を有する水中用キーと、
前記地上用キーが押下された場合に信号を生成する地上用キー回路と、
前記水中用キーが押下された場合に信号を生成する水中用キー回路と、
前記地上用キー回路と前記水中用キー回路のいずれか一方を選択して信号入力回路に接続するキー選択回路と、
を備え、
前記地上用キー回路と前記水中用キー回路は、互いに他の一部を含まないことを特徴とする。
【発明の効果】
【００１２】
本発明によれば、水陸両用で、高い操作性および機能性を維持できる。
【図面の簡単な説明】
【００１３】
【図１】本発明の実施の形態に係るキー操作入力回路の構成の一例を示すブロック図である。
【図２】本発明の実施の形態の変形例に係るキー操作入力回路の構成の一例を示すブロック図である。
【図３】実施の形態の変形例に係るキー操作入力回路の動作の一例を示すブロック図である。
【図４】携帯端末装置のキーの構成の一例を示す概略断面図である。
【図５】関連する技術に係るキー操作入力回路の構成の一例を示すブロック図である。
【図６】関連する技術に係る携帯端末装置のキーの構成の一例を示す概略断面図である。
【発明を実施するための形態】
【００１４】
以下に、本発明を実施するための形態について図面を参照して詳細に説明する。なお、図中同一または相当する部分には同じ符号を付す。
【００１５】
本発明に係るキー操作入力回路および携帯端末装置の説明の前に、関連する技術に係るキー操作入力回路および携帯端末装置について、図５および図６を用いて説明する。図５は、関連する技術に係るキー操作入力回路の構成の一例を示すブロック図である。図６は、関連する技術に係る携帯端末装置のキーの構成の一例を示す概略断面図である。
【００１６】
携帯端末装置５００は、キーマトリクス５０、キー５１、キー回路５２および制御部５３を備える。携帯端末装置５００は、１ないし９の数字のスイッチボタンや、記号などのその他のスイッチボタンに対応するスイッチボタンの群であるキーマトリクス５０を備える。キーマトリクス５０を構成する各キー５１は、キー５１が押下されると、対応するキー５１がキー回路５２と電気的に導通し、電気信号を伝えることができる。そして、制御部５３により、押下されたキー５１の電気信号に対応する制御が行われる。
【００１７】
例えば、キー５１は、メンブレンスイッチ構造で構成される。キー５１は、上部電極シート５１１、上部電極接点５１２、下部電極シート５１３、下部電極接点５１４、エンボス５１５、表面シート５１６、スペーサー５１７、５１９および取付板５１８を備える。キー５１に対応する箇所を押下すると、上部電極シート５１１の上部電極接点５１２と下部電極シート５１３の下部電極接点５１４が接触し、そのキー５１が電気的に導通し、制御部５３へ電気信号を送信可能となる。そして、押下されたキー５１の電気信号に対応する制御が行われる。図中のエンボス５１５は、クリックエンボスを一例に挙げているが、クリックゴムを表面シート５１６に備えたノーマルフラットタイプのクリックゴムタイプメンブレンスイッチなどを用いることができる。エンボス５１５は、キー５１の操作時におけるクリック感触を付与する。
【００１８】
（実施の形態）
図１は、本発明の実施の形態に係るキー操作入力回路の構成の一例を示すブロック図である。携帯電話端末装置１００は、制御部１１、圧力検出部１２、切替回路１３、地上用キーマトリクス３０および水中用キーマトリクス４０を備える。地上用キーマトリクス３０および水中用キーマトリクス４０は、「０」ないし「９」の数字のスイッチボタンや、記号などのその他のスイッチボタンに対応するスイッチボタンの群をいう。地上用キーマトリクス３０は、地上用キー３１および地上用キー回路３２を備える。水中用キーマトリクス４０は、水中用キー４１および水中用キー回路４２を備える。
【００１９】
制御部１１は、携帯電話端末装置１００のキー操作入力回路に係る制御を行う。制御には、地上用キーマトリクス３０または水中用キーマトリクス４０のいずれか一方を選択して機能させるための、信号入力回路の切り替え動作を含む。信号入力回路の切り替えは、切替回路１３により行い、地上用キーマトリクス３０の地上用キー回路３２または水中用キーマトリクス４０の水中用キー回路４２の、いずれかが選択される。また、地上用キーマトリクス３０または水中用キーマトリクス４０のいずれかの作動は、選択された信号入力回路に対応する押下されたスイッチボタンで電気信号が生成され、その電気信号が伝えられることにより行われる。
【００２０】
具体的には、切替回路１３により地上用キーマトリクス３０の地上用キー回路３２が選択される。このときに、地上用キーマトリクス３０を構成する各地上用キー３１、例えば、地上用キー３１ａは、地上用キー３１ａが操作され押下されると、対応する地上用キー３１ａが地上用キー回路３２ａと電気的に導通し、電気信号を伝えることができる。そして、制御部１１により、押下された地上用キー３１ａの電気信号に対応する制御が行われる。
【００２１】
同様に、切替回路１３により水中用キーマトリクス４０の水中用キー回路４２が選択される。このときに、水中用キーマトリクス４０を構成する各水中用キー４１、例えば、水中用キー４１ａは、水中用キー４１ａが操作され押下されると、対応する水中用キー４１ａが水中用キー回路４２ａと電気的に導通し、電気信号を伝えることができる。そして、制御部１１により、押下された水中用キー４１ａの電気信号に対応する制御が行われる。
【００２２】
上述の地上用キーマトリクス３０と水中用キーマトリクス４０は、携帯端末装置１００の、同じスイッチボタンに対応して形成され、互いに他の一部を含まない。１つのスイッチボタンを押下した場合に、その携帯端末装置１００のスイッチボタン押下動作により、例えば、地上用キー３１ａおよび水中用キー４１ａの両方が押下され、地上用キー３１ａは地上用キー回路３２ａと電気的に接続可能となり、同時に、水中用キー４１ａは水中用キー回路４２ａと電気的に接続可能となる。しかしながら、地上用キー回路３２ａおよび水中用キー回路４２ａは、同時に信号入力回路に接続することはなく、切替回路１３により選択されたキー回路のみが携帯端末装置１００の電気信号を伝えるキー回路として作動する。
【００２３】
このとき、携帯端末装置１００の制御部１１は、携帯端末装置１００に掛かる圧力が所定の圧力値より小さければ、切替回路１３において地上用キーマトリクス３０を選択する。そして、地上用キー回路３２ａは、地上用キー３１ａが押下された場合に対応する電気信号を生成し、制御部１１は地上用キーマトリクス３０に対応した制御が可能となる。
【００２４】
また、携帯端末装置１００の制御部１１は、携帯端末装置１００に掛かる圧力が所定の圧力値より大きければ、切替回路１３において水中用キーマトリクス４０を選択する。そして、水中用キー回路４２ａは、水中用キー４１ａが押下された場合に対応する電気信号を生成し、制御部１１は水中用キーマトリクス４０に対応した制御が可能となる。
【００２５】
具体的には、携帯端末装置１００を地上から水中へ移動させた場合に、圧力検出部１２は所定の値以上の圧力が検出されたことを制御部１１へ伝え、制御部１１は信号入力回路の切り替えを切替回路１３に指示し、切替回路１３は地上用キーマトリクス３０から水中用キーマトリクス４０への切り替えを行う。
【００２６】
なお、携帯端末装置１００を地上で使用することが通常であり、所定の圧力値は大気圧以上に設定しておく。すなわち、切替回路１３の選択する信号入力回路は、大気圧中では地上用キーマトリクス３０を有効に設定しておく。そして、携帯端末装置１００を地上から水中へ移動させた場合に切替回路１３において水中用キーマトリクス４０を選択し、また、携帯端末装置１００を水中から地上へ移動させた場合に切替回路１３において地上用キーマトリクス３０を選択する。
【００２７】
いずれの場合においても、携帯端末装置１００に掛かる圧力の検出は、圧力検出部１２で行う。圧力検出部１２は、例えば、図示しない気圧センサで圧力のモニタリングを行っており、一定以上の圧力が加わると、制御部１１へ信号が送られるように設定しておく。具体的には、携帯端末装置１００のスイッチボタンに備えられたペットドーム（クリックドームともいう）が水圧により潰された場合に、切替回路１３により水中用キーマトリクス４０が選択され、水中用キーマトリクス４０が有効になるように制御される。水中で加圧されたことを感知するため、１箇所のペットドーム（クリックドームともいう）が潰された場合ではなく、少なくとも複数箇所のペットドームが潰された場合においてのみ、携帯端末装置１００が加圧されているものと設定してもよい。
【００２８】
図２は、本発明の実施の形態の変形例に係るキー操作入力回路の構成の一例を示すブロック図である。図３は、実施の形態の変形例に係るキー操作入力回路の動作の一例を示すブロック図である。本発明の実施の形態の変形例に係るキー操作入力回路１００は、図１に示す実施の形態に係るキー操作入力回路１００に、入出力ポート１４を追加して備える。
【００２９】
圧力検出部１２で検出した圧力値に応じて、制御部１１は入出力ポート１４の切り替えを行う。入出力ポート１４は、地上用キーマトリクス３０と切替回路１３との接続または水中用キーマトリクス４０と切替回路１３との接続を可能とし、制御部１１により接続先のポート選択が行われ、切替回路１３と信号入力回路が導通する。図２は、信号入力回路に地上用キーマトリクス３０を選択した場合である。また、図３は、制御部１１により入出力ポート１４の切り替えが行われ、信号入力回路に水中用キーマトリクス４０を選択した場合である。
【００３０】
なお、入出力ポート１４により、携帯電話端末装置１００の地上用キーマトリクス３０と水中用キーマトリクス４０の切り替えを行うことで、携帯電話端末装置１００に備えるポートを兼用し、キー操作入力回路が複雑化することを防止でき、携帯端末装置１００の回路を単純化し、小型化に貢献することができる。また、信号入力回路の切り替えが容易となり、誤作動の低減や操作性の向上にも貢献できる。
【００３１】
図４は、携帯端末装置のキーの構成の一例を示す概略断面図である。実施の形態および実施の形態の変形例に係るキー操作入力回路を備える携帯端末装置のキーの構成の一例を示す。
【００３２】
携帯端末装置１００は、通常、大気圧環境下で使用することを前提に形成しており、できるだけ使用者の負担が少なくなるように、キー操作に必要な押圧力を低減し、キーをエンボス抵抗が小さいもので設計することが好ましい。また、大気圧環境下と水圧環境下を比較した場合に、大気圧環境下の方が圧力は小さいので、大気圧環境下におけるエンボス抵抗を、水圧環境下におけるエンボス抵抗よりも、エンボス抵抗が小さいもので設計することができる。以下に、同じスイッチボタンに対応する地上用キー３１および水中用キー４１の構成について説明する。
【００３３】
携帯端末装置１００の地上用キーマトリクス３０と水中用キーマトリクス４０は、それぞれに対応する地上用キー回路３２と水中用キー回路４２は互いに他の一部を含まずに、同じスイッチボタンに対応して形成される。地上用キー３１の方がエンボス抵抗は小さく、水中用キー４１の方がエンボス抵抗は大きいので、地上用キーマトリクス３０に対応する地上用キー３１を携帯端末装置１００の表面側、水中用キーマトリクス４０に対応する水中用キー４１を携帯端末装置１００の裏面側、すなわち地上用キー３１の押下方向に置かれる様に配置する。
【００３４】
なお、携帯端末装置１００の地上用キーマトリクス３０と水中用キーマトリクス４０は、同じスイッチボタンに対応して形成されているが、地上用キー回路３２と水中用キー回路４２は互いに他の一部を含まないため、信号入力回路は地上用キーマトリクス３０の地上用キー回路３２と水中用キーマトリクス４０の水中用キー回路４２のいずれかが選択される。
【００３５】
地上用キーマトリクス３０と水中用キーマトリクス４０のいずれを制御するかは、圧力検出部１２の検出した圧力値をもとに、制御部１１の指示により切替回路１３で選択される。圧力が所定値より小さい場合は地上用キーマトリクス３０、圧力が所定値より大きい場合は水中用キーマトリクス４０、が選択される。具体的には、圧力が所定値より小さい場合は、制御部１１の指示により、切替回路１３は地上用キーマトリクス３０と接続する回路（地上用キー回路３２）を選択し、入出力ポート１４において切替回路１３と地上用キー回路３２とを電気的に導通させる。また、圧力が所定値より大きい場合は、制御部１１の指示により、切替回路１３は水中用キーマトリクス４０と接続する回路（水中用キー回路４２）を選択し、入出力ポート１４において切替回路１３と水中用キー回路４２とを電気的に導通させる。
【００３６】
地上用キー３１および水中用キー４１は、メンブレンスイッチ構造で構成され、互いに他の押下方向に重ねて形成される。具体的には、表面側が地上用キー３１、裏面側が水中用キー４１となり、これらの間に、中板（スペーサー）３２０が形成される。
【００３７】
地上用キー３１は、地上用上部電極シート３１１、地上用上部電極接点３１２、地上用下部電極シート３１３、地上用下部電極接点３１４、地上用凹型エンボス３１５、表面シート３１６およびスペーサー３１７を備える。地上用キー３１に対応する箇所（スイッチボタン）を押下すると、地上用上部電極シート３１１の地上用上部電極接点３１２と地上用下部電極シート３１３の地上用下部電極接点３１４が接触し、その地上用キー３１が電気的に導通し、携帯端末１００の制御部１１へ電気信号を送信可能となる。そして、押下された地上用キー３１の電気信号に対応する制御が行われる。
【００３８】
地上用キー３１に対応する箇所（スイッチボタン）を押下する際、地上用凹型エンボス３１５をフラットな状態にし、少なくとも地上用上部電極接点３１２と地上用下部電極接点３１４が接触する力で押下する必要がある。地上用キー３１を、使用者の負担が少なくキー操作に必要な押圧力を低減し、キーをエンボス抵抗が小さいもので設計することで、操作性が向上する。なお、地上用凹型エンボス３１５に、地上用キー３１の操作時におけるクリック感触を付与することで、操作性は維持される。
【００３９】
水中用キー４１は、水中用上部電極シート４１１、水中用上部電極接点４１２、水中用下部電極シート４１３、水中用下部電極接点４１４、水中用メタルドーム付エンボス４１５、取付板４１６およびスペーサー４１７を備える。水中用キー４１に対応する箇所（スイッチボタン）を押下すると、水中用上部電極シート４１１の水中用上部電極接点４１２と水中用下部電極シート４１３の水中用下部電極接点４１４が接触し、その水中用キー４１が電気的に導通し、携帯端末１００の制御部１１へ電気信号を送信可能となる。そして、押下された水中用キー４１の電気信号に対応する制御が行われる。
【００４０】
水中用キー４１に対応する箇所（スイッチボタン）を押下する際、水中用メタルドーム付エンボス４１５をフラットな状態にし、水中用上部電極接点４１２と水中用下部電極接点４１４が接触するだけの押圧力で押下する必要がある。水中用キー４１は、少なくとも水圧環境下に耐え得るエンボス抵抗を有するもので設計する必要がある。また、水圧環境下で使用した場合においても、クリック感触を付与することで、操作性は維持される。
【００４１】
携帯端末装置１００が大気圧環境下で使用する場合、すなわち通常の使用の際、地上用キーマトリクス３０でキー操作されるように制御部１１で制御される。その際、スイッチの押下による機能制御の指示は、地上用キー３１を押下することで行われる。地上用キー３１の押下は、少なくとも地上用凹型エンボス３１５を押下できる押圧力で行えばよく、小さい力で容易に操作でき、かつ、クリック感が付与されているので、高い操作性を維持したまま携帯端末装置１００を使用することができる。また、大きい力で操作した場合であって、水中用メタルドーム付エンボス４１５が押下された場合であっても、水中用メタルドーム付エンボス４１５よりも押圧力の小さい地上用凹型エンボス３１５が接触しており、制御部１１では、対応する地上用キー３１による操作をもとに制御されるので、問題は生じない。
【００４２】
一方、携帯端末装置１００が水圧環境下で使用する場合、すなわち水中での使用の際、水中用キーマトリクス４０でキー操作されるように制御部１１で制御される。このとき、水圧より小さい押圧力で設計された地上用凹型エンボス３１５は、常に押下された状態となり、地上用上部電極接点３１２と地上用下部電極接点３１４が接触した状態が維持されるが、地上用キーマトリクス３０の地上用キー回路３２は接続してないため、地上用キー回路３２からの信号入力は行われることがなく問題はない。水中用キー４１の押下は、水中用メタルドーム付エンボス４１５を押下できる押圧力で行うことで、キー操作でき、かつ、クリック感が付与されているため、高い操作性を得ることができる。なお、地上用凹型エンボス３１５の押圧力は水中用メタルドーム付エンボス４１５に比べて小さく、水圧の影響もあるため、地上用凹型エンボス３１５によるクリック感の付与はほとんど感じることはない。
【００４３】
なお、図４（ｂ）に示すように、携帯端末装置１００の地上用キー３１に用いるエンボスは、地上用凹型エンボス３１５に限らず、地上用凸型エンボス３１８であってもよい。また、水中用キー４１に用いるエンボスは、水中用メタルドーム付エンボス４１５に限らず、水中用デザインエンボス４１８であってもよい。エンボスの材料、形状や押圧力は、任意に設定可能である。
【００４４】
以上説明したように、本発明の実施の形態にかかるキー操作入力回路および携帯端末装置によれば、水陸両用で、高い操作性および機能性を維持できる。
【００４５】
本発明の携帯端末装置は、通常の使用の際、すなわち地上における使用の際、できるだけ使用者の負担が少なくなるように、キー操作に必要な押圧力を低減し、キーをエンボス抵抗が小さいもので設計することができる。その結果、非常に小さい力でキー操作が可能であり、また、キー操作においてはクリック感が付与されているので、操作性の高い携帯端末装置として利用できる。さらに、水中における使用の際でも、特別な操作や、ケースで保護などを行わなくても、誤動作のおそれがなく、使用が可能である。これは、水中では携帯端末装置の信号入力回路の切り替えが行われ、地上用キー回路が無効となり、水圧により地上用キーが押下されていても誤動作することがないためである。
【００４６】
なお、水中でのキー操作は、水圧でバイアスがかかった状態になり、大気中における水中用キーに必要な押下力より小さい押下力で操作できる。その上、水中でもクリック感を得ることができ、操作性は維持される。また、水中用キーマトリクスに切り替えられているので、キー操作使用の制限が最小限に抑えられ、高い機能性を維持することができる。
【００４７】
また、地上用キーマトリクスと水中用キーマトリクスの切り替えを行うことで、ポートを兼用することができ、キー操作入力回路の複雑化を防止し、携帯端末装置回路を単純化し、携帯端末装置の小型化に貢献することができる。さらに、信号入力回路の切り替えが容易となり、誤作動の低減や操作性の向上にも貢献できる。
【００４８】
本実施の形態では、クリック感を付与するエンボスについて例示しているが、特に限定されない。エンボスの形状や材料など、任意に設定可能である。また、エンボスを備えるキースイッチの構造についても同様に、任意に選択することができる。また、携帯端末装置のデザインについても任意に設定可能であり、特に限定されない。
【００４９】
上記の実施形態の一部または全部は、以下の付記のようにも記載されうるが、以下には限られない。
【００５０】
（付記１）
地上用キーが押下された場合に信号を生成する地上用キー回路と、
水中用キーが押下された場合に信号を生成する水中用キー回路と、
前記地上用キー回路と前記水中用キー回路のいずれか一方を選択して信号入力回路に接続するキー選択回路と、を備え、
前記地上用キー回路と前記水中用キー回路は、互いに他の一部を含まないことを特徴とするキー操作入力回路。
【００５１】
（付記２）
外部圧力を検出する回路と、
外部圧力が所定の値以下の場合に、前記キー選択回路で前記地上用キー回路を前記信号入力回路に接続し、外部圧力が前記所定の値を超える場合に、前記キー選択回路で前記水中用キー回路を前記信号入力回路に接続する制御回路と、
を備えることを特徴とする付記１に記載のキー操作入力回路。
【００５２】
（付記３）
大気圧中で操作可能な必要押下力を有する地上用キーと、
前記地上用キーの必要押下力より大きい必要押下力を有する水中用キーと、
前記地上用キーが押下された場合に信号を生成する地上用キー回路と、
前記水中用キーが押下された場合に信号を生成する水中用キー回路と、
前記地上用キー回路と前記水中用キー回路のいずれか一方を選択して信号入力回路に接続するキー選択回路と、
を備え、
前記地上用キー回路と前記水中用キー回路は、互いに他の一部を含まないことを特徴とする携帯端末装置。
【００５３】
（付記４）
外部圧力を検出する回路と、
外部圧力が所定の値以下の場合に、前記キー選択回路で前記地上用キー回路を前記信号入力回路に接続し、外部圧力が前記所定の値を超える場合に、前記キー選択回路で前記水中用キー回路を前記信号入力回路に接続する制御回路と、
を備えることを特徴とする付記３に記載の携帯端末装置。
【００５４】
（付記５）
前記地上用キーと前記水中用キーは、互いに他の押下方向に重ねて配置されることを特徴とする付記３または４に記載の携帯端末装置。
【産業上の利用可能性】
【００５５】
本発明によれば、携帯端末装置は、携帯電話だけでなく、防水のデジタルカメラや防水のポータブル音楽プレーヤーなど、様々な携帯端末装置として利用できる。
【符号の説明】
【００５６】
１１    制御部
１２    圧力検出部
１３    切替回路
１４    入出力ポート
３０    地上用キーマトリクス
３１、３１ａ  地上用キー
３２、３２ａ  地上用キー回路
４０    水中用キーマトリクス
４１、４１ａ  水中用キー
４２、４２ａ  水中用キー回路
５０    キーマトリクス
５１    キー
５２    キー回路
５３    制御部
１００    携帯端末装置
３１１    地上用上部電極シート
３１２    地上用上部電極接点
３１３    地上用下部電極シート
３１４    地上用下部電極接点
３１５    地上用凹型エンボス
３１６    表面シート
３１７、４１７    スペーサー
３１８    地上用凸型エンボス
３２０    中板（スペーサー）
４１１    水中用上部電極シート
４１２    水中用上部電極接点
４１３    水中用下部電極シート
４１４    水中用下部電極接点
４１５    水中用メタルドーム付エンボス
４１６    取付板
４１８    水中用デザインエンボス
５００    携帯端末装置
５１１    上部電極シート
５１２    上部電極接点
５１３    下部電極シート
５１４    下部電極接点
５１５    エンボス
５１６    表面シート
５１７、５１９    スペーサー
５１８    取付板
【図１】
2012182687.tif 000003
【図２】
2012182687.tif 000004
【図３】
2012182687.tif 000005
【図４】
2012182687.tif 000006
【図５】
2012182687.tif 000007
【図６】
2012182687.tif 000008